(57)【要約】【課題】棺本体の構成を簡単にすることによって小型軽量化するとともに組立工程の増大および煩雑化を軽減することができる棺桶を提供する。【解決手段】棺桶１００は、棺本体１０１と蓋体１４０とで構成されている。棺本体１０１は、段ボール製の胴部体１１０と木製の胴部補強体１２０とで構成されている。胴部体１１０は、死体Ｄを載置する底部１１１と底部１１１の幅方向に起立した状態で設けられる側方壁部１１２とで構成されている。胴部補強体１２０は、胴部体１１０の底部１１１の長手方向両側部分の下面に配置される底部補強部１２１と、底部補強部１２１の幅方向両側部に起立した状態で設けられる側方壁部補強部１２２と、２つの側方壁部補強部１２２間に設けられる幅方向補強部１２４とで構成されている。胴部補強体１２０は、連結部材１３０を介して胴部体１１０に着脱自在に連結される。蓋体１４０は、蓋本体１４１と位置決め体１４２とで構成されている。【選択図】  図１
2013183884.tif 000002
【特許請求の範囲】
【請求項１】
開口部を有する箱状に形成されて死体を寝かした状態で安置する棺本体と、
前記棺本体の開口部を覆う蓋体とを備えた棺桶であって、
前記棺本体は、
前記死体が載置される底部および同底部の幅方向両側に長手方向に沿って起立した状態でそれぞれ設けられた側方壁部からなる段ボール製の胴部体と、
前記胴部体における長手方向両側部分に設けられて同両側部分を補強する胴部補強体とを備え、
前記胴部補強体は、
前記胴部体における前記底部を構成する前記段ボール材に対して同等以上の剛性を有する材料で構成されて前記胴部体の前記底部における長手方向両側部分の下面側に配置される底部補強体を備えることを特徴とする棺桶。
【請求項２】
請求項１に記載した棺桶において、
前記胴部補強体は、さらに、
前記底部補強体に対して一体的に繋がった状態で前記底部の長手方向両側および前記幅方向両側のうちの少なくとも一方から起立する面に対向して側部補強体を備えることを特徴とする棺桶。
【請求項３】
請求項１または請求項２に記載した棺桶において、
前記胴部補強体は、木材で構成されていることを特徴とする棺桶。
【請求項４】
請求項１ないし請求項３のうちのいずれか１に記載した棺桶において、さらに、
前記胴部体と前記胴部補強体とを着脱自在に連結する連結手段を備えることを特徴とする棺桶。
【請求項５】
請求項１ないし請求項４のうちのいずれか１に記載した棺桶において、さらに、
前記蓋体は、
前記棺本体の内周部に接触しつつ同棺本体の内部に向かって突出する段ボール製の位置決め体を備えることを特徴とする棺桶。
【請求項６】
請求項１ないし請求項４のうちのいずれか１に記載した棺桶において、さらに、
前記棺本体内に防水シートを設けたことを特徴とする棺桶。
【発明の詳細な説明】
【技術分野】
【０００１】
本発明は、死体を納める棺桶に関する。
【背景技術】
【０００２】
従来から、人間や愛玩動物の死体を火葬または埋葬する際に棺桶が用いられている。一般に、棺桶は、死体の火葬または埋葬を考慮した材料、具体的には木材を死体の大きさに応じた蓋付きの箱状に形成して構成されている。また、近年においては、環境保全を考慮して例えば、下記特許文献１に示すように、死体を納める開口部を有する箱状の棺本体および同棺本体の開口部を覆う蓋板をそれぞれ段ボール材で構成した棺桶が提案されている。
【先行技術文献】
【特許文献】
【０００３】
【特許文献１】特開２０００−７０３１６号公報
【０００４】
しかしながら、このような段ボール製の棺桶においては、死体を安置する棺本体の壁内全体に格子状の芯材を設けて必要な強度を確保しているため、棺桶の構成の複雑化によって棺桶を大型化および重量化させるとともに組立工程の増大および煩雑化を招来するという問題があった。
【発明の概要】
【０００５】
本発明は上記問題に対処するためなされたもので、棺桶としての必要な強度を確保しつつ棺本体の構成を簡単にすることによって棺桶を小型軽量化するとともに組立工程の増大および煩雑化を軽減することができる棺桶を提供することにある。
【０００６】
上記目的を達成するため、請求項１に係る本発明の特徴は、開口部を有する箱状に形成されて死体を寝かした状態で安置する棺本体と、棺本体の開口部を覆う蓋体とを備えた棺桶であって、棺本体は、死体が載置される底部および同底部の幅方向両側に長手方向に沿って起立した状態でそれぞれ設けられた側方壁部からなる段ボール製の胴部体と、胴部体における長手方向両側部分に設けられて同両側部分を補強する胴部補強体とを備え、胴部補強体は、胴部体における底部を構成する段ボール材に対して同等以上の剛性を有する材料で構成されて胴部体の底部における長手方向両側部分の下面側に配置される底部補強体を備えることにある。
【０００７】
このように構成した請求項１に係る発明の特徴によれば、棺桶は、死体を安置する棺本体が段ボール製の胴部体と同胴部体における長手方向両側部分の下面に配置されて同部分を補強する胴部補強体とで構成されている。すなわち、棺桶は、死体からの直接の荷重が掛かる棺本体における底部を段ボールで構成するとともに、この底部における長手方向両側部分を同部分の下方に配置した胴部補強体に支持させて構成されている。これにより、棺桶は、置かれた状態および持ち上げられた状態において死体を安定的に保持できる強度を有しながら、棺本体の構成を簡単にすることができる。この結果、棺桶を小型軽量化するとともに組立工程の増大および煩雑化を軽減することができる。また、棺桶は、棺本体を構成する胴部体の長手方向両側部の下面に胴部補強体が配置されているためこの胴部体の下面における胴部補強体間が胴部補強体の厚さ分だけ上方に凹んでいる。これにより、棺桶は、棺本体を濡れた載置面上に置く場合であっても胴部体が濡れることを防止して同部分を保護できるとともに棺本体を載置面上から持ち上げる際に前記凹んだ部分によって手を掛け易くなる。
【０００８】
また、請求項２に係る本発明の他の特徴は、前記棺桶において、胴部補強体は、さらに、底部補強体に対して一体的に繋がった状態で底部の長手方向両側および幅方向両側のうちの少なくとも一方から起立する面に対向して側部補強体を備えることにある。
【０００９】
このように構成した請求項２に係る本発明の他の特徴によれば、棺桶は、胴部体における長手方向両側および幅方向両側の少なくとも一方から起立する面に対向して側部補強体を備えている。すなわち、側部補強体は、胴部体の長手方向に沿う側方壁部補強体および／または胴部体の幅方向に沿う幅方向補強体によって構成される。これにより、棺桶は、胴部体が底面に加えて側面も保護または補強することができる。
【００１０】
また、請求項３に係る本発明の他の特徴は、前記棺桶において、胴部補強体は、木材で構成されていることにある。
【００１１】
このように構成した請求項３に係る本発明の他の特徴によれば、棺桶は、胴部補強体が木材で構成されている。これにより、棺桶は、胴部体における胴部補強体によって覆われた部分を効果的に保護および補強することができる。また、棺桶は、棺本体の一部が木材によって構成されることにより、高級感を向上させることができる。
【００１２】
また、請求項４に係る本発明の他の特徴は、前記棺桶において、さらに、胴部体と胴部補強体とを着脱自在に連結する連結手段を備えることにある。
【００１３】
このように構成した請求項４に係る本発明の他の特徴によれば、棺桶は、胴部体と胴部補強体とを着脱自在に連結する連結手段を備えている。すなわち、棺桶は、胴部体と胴部補強体とを必要に応じて組み立ておよび分解することができる。これにより、棺桶は、棺桶として使用しない場合においては胴部体と胴部補強体とを分離することができるため、棺桶として組み立てた場合に比べて保管スペースを小さくすることができる。また、棺桶は、搬送時においても胴部体と胴部補強体とを分離することにより、取扱いが容易になるとともに一度に大量の棺桶を送ることができ搬送効率が向上する。
【００１４】
また、請求項５に係る本発明の他の特徴は、前記棺桶において、さらに、蓋体は、棺本体の内周部に接触しつつ同棺本体の内部に向かって突出する段ボール製の位置決め体を備えることにある。
【００１５】
このように構成した請求項５に係る本発明の他の特徴によれば、棺桶は、蓋体が棺本体の内周部に接触しつつ同棺本体の内部に向かって突出する段ボール製の位置決め体を備えて構成されている。これにより、棺桶は、棺本体の開口部に蓋体を被せる際、棺本体の開口部上に正確に位置決めした状態で蓋体を載置することができるとともに同蓋体の位置ずれを防止することができる。
【００１６】
また、請求項６に係る本発明の他の特徴は、前記棺桶において、さらに、棺本体内に防水シートを設けたことにある。
【００１７】
このように構成した請求項６に係る本発明の他の特徴によれば、棺桶は、棺本体内に防水シートを備えて構成されている。これにより、棺桶は、棺本体内の水分、例えば、死体から出る体液や蒸発した水分、死体を冷却するための氷やドライアイスに起因して生じる水分などが直接胴部体に浸透して胴部体の劣化や美観を損ねるなどの各種弊害を防止することができる。
【図面の簡単な説明】
【００１８】
【図１】本発明に係る棺桶の全体構成の概略を模式的に示す斜視図である。
【図２】図１に示す棺桶の組み付け状態および各構成部品を説明するための分解斜視図である。
【図３】図１に示す棺桶を構成する胴部体を展開した状態を示す斜視図である。
【図４】本発明の変形例に係る棺桶を構成する棺本体および防水シートの全体を構成の概略を模式的に示す斜視図である。
【発明を実施するための形態】
【００１９】
（棺桶１００の構成）
以下、本発明に係る棺桶の一実施形態について図面を参照しながら説明する。図１は、本発明に係る棺桶１００の全体構成の概略を模式的に示す斜視図である。また、図２は、図１に示す棺桶１００の組み付け状態および各構成部品を説明するための分解斜視図である。なお、本明細書において参照する各図は、本発明の理解を容易にするために一部の構成要素を誇張して表わすなど模式的に表している。このため、各図面間および各構成要素間の寸法や比率などは異なっていることがある。
【００２０】
この棺桶１００は、人間の死体Ｄを葬る際に死体Ｄを納める容器として用いられるものである。まず、この棺桶１００は、棺本体１０１を備えている。棺本体１０１は、人間の死体Ｄを納める箱状の容器であり、図示上方に向かって開口した上面視で長方形状に形成されている。この場合、棺本体１０１は、死体Ｄを納めることができる大きさ、すなわち、安置する人間の肩幅および身長よりも長い長さの縦横からなる長方形状に形成される。この棺本体１０１は、主として、胴部体１１０および胴部補強体１２０によって構成されている。なお、図１においては、死体Ｄを二点鎖線で示している。
【００２１】
胴部体１１０は、箱状に形成された棺本体１０１における底部１１１および棺本体１０１の幅方向両側に起立する側方壁部１１２をそれぞれ構成する部材であり、図３に示すように、平板状の段ボール材を屈曲させて構成されている。この胴部体１１０を構成する段ボール材は、厚紙製の２つのライナー間にフルーテッド（波型加工）した紙製の中芯を挟んだ所謂１層の段ボール材を用いてもよいが、この層が２層以上で構成される所謂強化段ボール材を用いることによってより剛性を向上させることができる。なお、図３においては、胴部体１１０における底部１１１と側方壁部１１２との間の折り曲げ部分および死体Ｄをそれぞれ二点鎖線で示している。
【００２２】
底部１１１は、死体Ｄを寝かせた状態で載置する平板状の部分であり、収容対象となる死体Ｄの肩幅および身長よりも長い長さの縦横となる長方形状に形成されている。本実施形態においては、底部１１１は、肩幅方向に対応する縦の長さが５４０ｍｍ、身長方向に対応する横の長さが１８３５ｍｍ、厚さが１０ｍｍの長方形状の平板で構成されている。
【００２３】
また、側方壁部１１２は、底部１１１上に載置される死体Ｄの左右方向を仕切る壁であり、底部１１１における幅方向の両側部から図示上方に向かって起立した状態で底部１１１から連続的に延びて形成されている。すなわち、２つの側方壁部１１２は、互いに同一形状の板状に形成されて底部１１１に対して一体的に形成されている。この場合、側方壁部１１２が底部１１１における幅方向の両側部から延びる長さ、すなわち、側方壁部１１２の高さでありかつ棺本体１０１内部の深さは、底部１１１上に死体を寝かせた状態における同死体の高さよりも長い長さで形成されている。本実施形態においては、側方壁部１１２の深さは４１０ｍｍに設定されている。
【００２４】
これら２つの側方壁部１１２における長手方向の各両側部分には、それぞれ２つずつの胴部側連結孔１１３がそれぞれ形成されている。これら８つの胴部側連結孔１１３は、それぞれ胴部体１１０と胴部補強体１２０とを互いに連結する際に使用する方形状の貫通孔である。
【００２５】
胴部体１１０における長手方向両側部分には、互いに同一形状からなる胴部補強体１２０がそれぞれ取り付けられている。胴部補強体１２０は、胴部体１１０を補強して棺本体１０１の剛性を向上させるための部材であり、無垢材や合板などの木製の平板を組み合わせて構成されている。本実施形態においては、胴部補強体１２０は、厚さが１５ｍｍのヒノキの無垢材からなる平板を組み合わせて構成されている。この胴部補強体１２０は、主として、底部補強部１２１、側方壁部補強部１２２および幅方向補強部１２４によって構成されている。
【００２６】
底部補強部１２１は、胴部体１１０の底部１１１における長手方向両側部分の下面側に配置されて同部分を図示下方から支持する平板部材である。この底部補強部１２１は、胴部体１１０の底部１１１を載置可能な幅に形成されるとともに、胴部体１１０の長手方向の長さの概ね１／９〜１／３の長さに形成されている。本実施形態においては、底部補強部１２１は、胴部体１１０の長手方向の長さの約１／３である２９０ｍｍ（内寸）の長さに形成されている。
【００２７】
底部補強部１２１における幅方向両側部には、互いに同一形状の板状体からなる側方壁部補強部１２２がそれぞれ起立した状態で設けられている。側方壁部補強部１２２は、胴部体１１０の側方壁部１１２における長手方向両側部分の外側に配置されて同部分に連結される平板部材である。この側方壁部補強部１２２は、底部補強部１２１と同じ長さに形成されるとともに、側方壁部１１２の上端面と面一となる高さに形成されている。また、側方壁部補強部１２２には、それぞれ２つずつの補強部側連結孔１２３がそれぞれ形成されている。４つの補強部側連結孔１２３は、それぞれ胴部体１１０と胴部補強体１２０とを互いに連結する際に使用する方形状の貫通孔である。
【００２８】
これら２つの側方壁部補強部１２２が設けられた底部補強部１２１の２つの側部に直交する方向に隣接する２つの側部のうちの一方には、幅方向補強部１２４が設けられている。幅方向補強部１２４は、２つの側方壁部補強部１２２および１つの底部補強部１２１に互いに接合されて胴部補強体１２０全体の剛性を高めるとともに、底部１１１上に載置される死体の身長方向を仕切る壁である。この幅方向補強部１２４は、２つの側方壁部補強部１２２間に対応する長さに形成されるとともに、これら２つの側方壁部補強部１２２の上端面と面一、すなわち、側方壁部１１２の上端面と面一となる高さに形成されている。
【００２９】
そして、これらの底部補強部１２１、側方壁部補強部１２２および幅方向補強部１２４は、互いに対向する部分が図示しないダボによって互いに固定的に連結されて胴部体１１０を収容可能な胴部補強体１２０を一体的に構成している。なお、本実施形態においては、胴部補強体１２０は、外寸で長さが３００ｍｍ、幅が５９０ｍｍ、高さが４５０ｍｍに形成されている。
【００３０】
この胴部補強体１２０は、連結部材１３０によって胴部体１１０に連結されている。連結部材１３０は、胴部体１１０に胴部補強体１２０を着脱自在に連結するための樹脂製の連結具である。この連結部材１３０は、胴部側連結孔１１３および補強部側連結孔１２３にそれぞれ嵌合する方形状の枠体内に同枠体の軸線方向に操作子１３１を押すまたは引くことによって開閉する２つの羽体１３２が設けられて構成されている。すなわち、連結部材１３０は、２つの羽体１３２が互いに対向して閉じた状態において胴部側連結孔１１３および補強部側連結孔１２３に対して抜き挿し可能な状態となるとともに２つの羽体１３２が互いに同一平面上に位置する開いた状態において胴部体１１０と胴部補強体１２０とを互いに連結する状態となる。
【００３１】
これらの胴部体１１０と胴部補強体１２０とで構成された棺本体１０１における図示状態に開口する開口部１０２上には、蓋体１４０が載置される。蓋体１４０は、棺本体１０１の開口部１０２を覆って棺本体１０１を塞ぐ木製の板状体である。この蓋体１４０は、主として、蓋本体１４１と位置決め体１４２とで構成されている。蓋本体１４１は、棺本体１０１の開口部１０２の全体を覆って棺本体１０１の上面に載置可能な長方形状に形成された合板によって構成されている。本実施形態においては、蓋本体１４１は、幅が５９０ｍｍ、長さが１８６５ｍｍ、厚さが３ｍｍの合板によって構成されている。
【００３２】
位置決め体１４２は、棺本体１０１上における蓋１４０の載置位置を規定するための段ボール製の板状体であり、棺本体１０１の開口部１０２の内寸より小さい形状に形成されて蓋本体１４１の裏面に突出した状態で設けられている。本実施形態においては、位置決め体１４２は、幅が５５８ｍｍ、長さが１８３３ｍｍ、厚さが５ｍｍの１層の段ボール材によって構成されている。この位置決め体１４２は、蓋本体１４１の裏面に接着剤によって固定的に貼り付けられている。なお、図１においては、説明の便宜上、蓋体１４０を裏返して位置決め体１４２が現れるように示している。
【００３３】
（棺桶１００の作動）
次に、上記のように構成した棺桶１００の作動について説明する。まず、棺桶１００を保管する場合について説明する。ユーザは、棺本体１０１および蓋体１４０をそれぞれ用意する。この場合、棺本体１０１は、１つの胴部体１１０に対して２つの胴部補強体１２０および８つの連結部材１３０をそれぞれ分離したそれぞれ単体で用意される。また、この場合、胴部体１１０は、図３に示すように、側方壁部１１２が折り曲げられていない１枚の平板状で用意される。
【００３４】
したがって、ユーザは、１つの棺桶１００ごとに、１つの胴部体１１０、２つの胴部補強体１２０、８つの連結部材１３０および１つの蓋体１４０をそれぞれ単体で保管する。すなわち、ユーザは、棺桶１００を構成する各部品を部品ごとに保管スペースの事情に応じて独立した位置、姿勢、温度、湿度および形状で保管することができる。また、ユーザは、棺桶１００の保管時において棺桶１００を移動する必要性が生じた場合であっても、各部品ごとに独立して移動させることができる。
【００３５】
なお、この棺桶１００の保管時においては、ユーザは、胴部体１１０を図３に示すような展開した状態で保管および移動を行うことができる他、例えば、図２に示すように平面上の胴部体１１０の両側を折り曲げて側方壁部１１２を起立させた状態で保管および移動するようにしてもよいし、さらには、側方壁部１１２を底部１１１に重畳するまで更に折り畳んだ状態で保管することもできる。また、ユーザは、胴部補強体１２０を構成する底部補強部１２１、側方壁部補強部１２２および幅方向補強部１２４を互いに組み付けて胴部補強体１２０として保管および移動させる他に、底部補強部１２１、側方壁部補強部１２２および幅方向補強部１２４を互いに組み付けることなくそれぞれ単体で保管および移動させることもできる。これによれば、保管および移動の自由度が一層向上する。さらに、ユーザは、後述する組立手順に従って１つの胴部体１１０、２つの胴部補強体１２０、８つの連結部材および１つの蓋体１４０を互いに組み付けた棺桶１００として保管および移動させてもよい。すなわち、棺桶１００は、完成品としても半製品としても保管および輸送を行うことができる。また、棺桶１００は、段ボール材と木材とで構成されているため、従来の木材のみで構成された棺桶や多数の中芯を備えた段ボール製の棺桶に比べて軽量であるため、保管時および輸送時の負担を軽減することができる。
【００３６】
次に、棺桶１００を棺桶として使用する場合について説明する。ユーザは、１つの棺桶１００を組み立てるために、１つの胴部体１１０、２つの胴部補強体１２０、８つの連結部材１３０および１つの蓋体１４０をそれぞれ用意する。次に、ユーザは、平板状に展開された胴部体１１０における幅方向の両側を直角にそれぞれ折り曲げて側方壁部１１２を起立させる。次に、ユーザは、胴部体１１０における長手方向両側部を胴部補強体１２０内にそれぞれ挿し込んで胴部側連結孔１１３と補強部側連結孔１２３とをそれぞれ一致させる。この場合、胴部側連結孔１１３および補強部側連結孔１２３は、胴部体１１０の長手方向両端部からの距離と胴部補強体１２０における幅方向補強部１２４の内側面からの距離とが同一距離となっている。このため、ユーザは、胴部体１１０の長手方向両端部を幅方向補強部１２４の内側面にそれぞれ突き当てることによって容易に胴部側連結孔１１３と補強部側連結孔１２３との位置を一致させることができる。
【００３７】
次に、ユーザは、互いに位置を一致させた胴部側連結孔１１３と補強部側連結孔１２３とに連結部材１３０を挿し込んだ後、操作子１３１を押し込むことにより８つの連結部材１３０をそれぞれロック状態にする。これにより、連結部材１３０は、胴部体１２０における側方壁部１２２の内壁面において２つの羽体１３２が互いに同一平面上に位置する開いた状態となって胴部体１１０と胴部補強体１２０とを互いに連結する。
【００３８】
以上の作業により、ユーザは、棺本体１０１を完成させることができる。したがって、ユーザは、完成させた棺本体１０１内に死体Ｄを納めることによって死体Ｄを葬るまでの間、保存することができる。この場合、ユーザは、棺本体１０１における段ボール製の胴部体１１０が胴部補強体１２０の底部補強部１２１によって棺本体１０１の載置面から浮いた状態で支持されているため、棺本体１０１の載置面が濡れている場合であっても胴部体１１０を濡らすことなく使用することができる。また、ユーザは、棺本体１０１を移動させる場合においては、胴部体１１０における棺本体１０１の載置面から浮いた部分に手を掛けることによって容易に棺本体１０１の底面を浮かせて棺本体１０１を持つことができる。
【００３９】
また、棺本体１０１を持ち上げて移動させる場合においては、ユーザは、棺本体１０１の胴部補強体１２０における底部１２１に手を掛けて持つ。この棺本体１０１の移動時においても棺本体１０１は、胴部体１１０が胴部補強体１２０の底部１２１によって支持されているため、死体Ｄを安定した状態で収容し続けることができる。また、ユーザは、災害時などにおいて、棺桶１００を置いておくスペースが不足する場合においては、棺桶１００を段積みすることもできる。
【００４０】
次に、ユーザは、棺本体１０１の開口部１０２上に蓋体１４０を載置して同開口部１０２を覆うことによって棺本体１０１を蓋体１４０によって塞ぐ。この場合、ユーザは、蓋体１４０の裏面に設けた位置決め体１４１を棺本体１０１の内側に向けた向きで蓋体１４０を開口部１０２上に載置することにより、蓋体１４０を開口部１０２上における正確ない位置に容易に位置決めすることができる。そして、ユーザは、蓋体１４０における胴部補強体１２０に対向する周縁部に釘などを打ち込むことにより、蓋体１４０を棺本体１０１上に固定することができる。これにより、ユーザは、死体Ｄを棺桶１００とともに火葬または埋葬を介して葬ることができる。
【００４１】
上記作動説明からも理解できるように、上記実施形態によれば、棺桶１００は、死体Ｄを安置する棺本体１０１が段ボール製の胴部体１１０と同胴部体１１０における長手方向両側部分の下面に配置されて同部分を補強する胴部補強体１２０とで構成されている。すなわち、棺桶１００は、死体Ｄからの直接の荷重が掛かる棺本体１０１における底部１１１を段ボールで構成するとともに、この底部１２１における長手方向両側部分を同部分の下方に配置した胴部補強体１２０に支持させて構成されている。これにより、棺桶１００は、置かれた状態および持ち上げられた状態において死体Ｄを安定的に保持できる強度を有しながら、棺本体１０１の構成を簡単にすることができる。この結果、棺桶１００を小型軽量化するとともに組立工程の増大および煩雑化を軽減することができる。また、棺桶１００は、棺本体１０１を構成する胴部体１１０の長手方向両側部の下面に胴部補強体１２０が配置されているためこの胴部体１１０の下面における胴部補強体１２０間が胴部補強体１２０の厚さ分だけ凹んでいる。これにより、棺桶１００は、棺本体１０１を濡れた載置面上に置く場合であっても胴部体１１０が濡れることを防止して同部分を保護できるとともに棺本体１０１を載置面上から持ち上げる際に前記凹んだ部分によって手を掛け易くなる。また、この棺桶１００は、胴部体１１０が段ボール材で構成されているとともに胴部補強体１２０が簡単な板材を組み合わせて構成されているため、災害時などの緊急時には従来の木材のみで構成された棺桶に比べて大量生産および大量輸送に対応することができる。
【００４２】
さらに、本発明の実施にあたっては、上記実施形態に限定されるものではなく、本発明の目的を逸脱しない限りにおいて種々の変更が可能である。
【００４３】
例えば、上記実施形態においては、棺桶１００は、死体Ｄとして成人を想定した大きさに形成した。しかし、棺桶１００の大きさは、納める死体Ｄの大きさに応じて適宜設定されるものである。したがって、棺桶１００は、例えば、子供の死体Ｄを納める場合においては子供の肩幅や身長に応じた大きさに形成される。また、棺桶１００は、１つの胴部補強体１２０に対して長手方向の長さが互いに異なる複数種類の長さの胴部体１１０を用意して構成することもできる。これによれば、死体Ｄの身長に応じた長さの胴部体１１０に胴部補強体１２０を連結することができ、死体Ｄの身長に応じた棺桶１００を容易に用意することができる。なお、本実施形態においては、棺桶１００は、納める対象を人間の死体としたが人間以外の動物、例えば、犬や猫などの愛玩動物を納める対象とできることは当然である。
【００４４】
また、上記実施形態においては、胴部体１１０は、底部１１１と側方壁部１１２とを一枚の段ボール材で一体的に構成した。しかし、胴部体１１０は、底部１１１と側方壁部１１２とを互いに異なる段ボール材で構成することもできる。この場合、底部１１１と側方壁部１１２とは、接着剤などを用いて接合するようにしてもよいし、互いに挿し込みや引っ掛けによって連結するようにしてもよい。これによれば、底部１１１と側方壁部１１２とが別体で保管および移動ができるため、保管および移動の自由度を向上させることができる。また、本実施形態においては、胴部体１１０は、底部１１１と側方壁部１１２とで構成したが、これらに加えて、胴部体１１０の長手方向両端部に側方壁部１２０に直交する壁部、換言すれば、幅方向補強部１２４に対向する壁部を幅方向壁部として備えることもできる。
【００４５】
また、上記実施形態においては、ユーザは、棺本体１０１を組み立てた後に死体Ｄを棺本体１０１内に納めるようにした。しかし、ユーザは、棺本体１０１を組み立てる前の胴部体１１０上に死体Ｄを載置した後、棺本体１０１を組み立てることもできる。具体的には、ユーザは、図３に示すように、平板状に展開された胴部体１１０における底部１１１上に死体Ｄを載置した後、胴部体１１０における幅方向の両側を直角にそれぞれ折り曲げて側方壁部１１２を起立させる。次いで、ユーザは、胴部体１１０における長手方向両端部に胴部補強体１２０を嵌め込んで胴部側連結孔１１３と補強部側連結孔１２３とをそれぞれ一致させる。
【００４６】
次に、ユーザは、互いに位置を一致させた胴部側連結孔１１３と補強部側連結孔１２３とに連結部材１３０を挿し込んだ後、操作子１３１を押し込むことにより８つの連結部材１３０をそれぞれロック状態にする。これにより、ユーザは、棺本体１０１に死体Ｄを納めた状態で棺本体１０１を完成させることができる。すなわち、ユーザは、重量物である死体Ｄを棺本体１０１の上端部の高さ以上に持ち上げることなく容易に棺本体１０１内に納めることができる。
【００４７】
また、上記実施形態においては、胴部補強体１２０は、木製の平板部材からなる底部補強部１２１、側方壁部補強部１２２および幅方向補強部１２４を組み合わせることによって構成した。しかし、胴部補強体１２０は、胴部体１１０の底部１１１を構成する段ボール材と同等以上の剛性を有する材料を用いて同底部１１１の下面を支持するように構成されていれば、必ずしも上記実施形態に限定されるものではない。例えば、胴部補強体１２０は、底部補強部１２１のみで構成してもよいし、底部補強部１２１と側方壁部補強部１２２または幅方向補強部１２４とで構成することもできる。すなわち、胴部補強体１２０における側方壁部補強体１２２は底部１１１の幅方向両側部から起立する面に対向して設けられており、胴部補強体１２０における幅方向補強体１２４は底部１１１の長手方向両側部から起立する面に対向して設けられており、これらの側方壁部補強体１２２および幅方向補強体１２４は本発明に係る側部補強体を構成している。また、胴部補強体１２０は、木材以外の材料、例えば段ボール材や樹脂材で構成することもできる。また、さらに、胴部補強体１２０は、平板部材以外の部材、例えば、網状、格子状または棒状で構成することもできる。また、胴部補強体１２０を構成する底部補強部１２１、側方壁部補強部１２２および幅方向補強部１２４は、ダボ以外の接合方法、例えば、接着剤、釘または木組みによって互いに接合するようにしてもよい。
【００４８】
また、上記実施形態においては、胴部体１１０と胴部補強体１２０とを樹脂製の連結部材１３０を用いて互いに着脱自在に連結した。すなわち、連結部材１３０が、本発明に係る連結手段に相当する。しかし、胴部体１１０と胴部補強体１２０とは、互いに連結されていればよく、必ずしも着脱自在である必要も連結部材１３０である必要もない。例えば、胴部体１１０と胴部補強体１２０とを接着剤を用いて恒久的に連結するようにしてもよいし、胴部体１１０と胴部補強体１２０とが互いに嵌り合う嵌合部を介して連結するように構成されていてもよい。
【００４９】
また、上記実施形態においては、蓋体１４０は、蓋本体１４１の裏面に平板状の位置決め体１４２を貼り付けて構成した。しかし、位置決め体１４２は、棺本体１０１に対して蓋体１４０の位置を決めることができれば、必ずしも上記実施形態に限定されるものではない。例えば、位置決め体１４２は、蓋本体１４１の裏面に棺本体１０１の内周面に接触する位置に一直線状やＬ字状に設けることができる。また、位置決め体１４２は、段ボール材以外の素材、例えば、木材や樹脂材によって構成することもできる。さらに、また、蓋体１４０は、位置決め体１４２を省略して構成することができる。また、これらの場合、蓋体１４０は、蓋本体１４１を木材以外の材料、例えば、段ボール材や樹脂材で構成することもできる。
【００５０】
また、上記実施形態においては、蓋体１４０は、棺本体１０１を完全に閉塞する板状体で構成した。しかし、蓋体１４０は、棺本体１０１内に納められる死体Ｄの頭部に対応する位置に開閉可能な扉や、同部分のみ棺本体１０１内を視認することができる透明な樹脂材からなる窓を設けて構成することもできる。
【００５１】
また、上記実施形態においては、棺本体１０１内に直接死体Ｄを納めるように構成した。しかし、棺桶１００は、例えば、図４に示すように、棺本体１０１内に防水シート１５０を備えて構成することができる。この場合、防水シート１５０は、樹脂材や紙材を用いて棺本体１０１内における少なくとも段ボール材で構成された部分を覆う大きさに形成される。これによれば、棺桶１００は、棺本体１０１内の水分、例えば、死体Ｄから出る体液や蒸発した水分、死体Ｄを冷却するための氷やドライアイスに起因して生じる水分などが直接胴部体１１０に浸透して胴部体１１０の強度低下や美観を損ねるなどの各種弊害を防止することができる。なお、段ボール材で構成された部分、具体的には、胴部体１１０および位置決め体１４２には、水分を透過させない防水剤を塗布することにより水分の付着や浸透による強度低下や損傷を防止することができる。
【００５２】
Ｄ…死体、
１００…棺桶、１０１…棺本体、１０２…開口部、
１１０…胴部体、１１１…底部、１１２…側方壁部、１１３…胴部側連結孔、
１２０…胴部補強体、１２１…底部補強部、１２２…側方壁部補強部、１２３…補強部側連結孔、１２４…幅方向補強部、
１３０…連結部材、１３１…操作子、１３２…羽体、
１４０…蓋体、１４１…蓋本体、１４２…位置決め体、
１５０…防水シート。
【図１】
2013183884.tif 000003
【図２】
2013183884.tif 000004
【図３】
2013183884.tif 000005
【図４】
2013183884.tif 000006